(57)【要約】      （修正有）【課題】前後の風車における羽根角度を同時に調整できる二重風車型風力発電機を提供する。【解決手段】タワーの上端に二つの主軸４を水平にまたは角度を持たせて設け、それぞれの主軸の外側一端に羽根を設けた二重風車型発電機において、主軸を中空状に構成し主軸周りに主軸と分離して、モータ7Ａとボールスクリュウとリニアガイドでまたは主軸ケースの外からモータと油圧機器で、第１ロッド１０Ａとクラッチ１２を連結して進退運動に変換し、主軸内の第２ロッド１１を軸線方向に伸びて設け、第２ロッドの一端部は主軸の挿通穴からクラッチ板に連結し、主軸の先端の羽根の基部にはシリンダ１４Ａを固定して軸受と羽根の軸部を内蔵し油の流入・流出のための容器またはロータリーアクチュエーターを設けパイプでシリンダとつなぎ、羽根の軸部が回転・逆転されて羽根角度を調整可能とした。また等速ジョイントを用いて二つの主軸に角度を持たせた。【選択図】図２
2015025444.tif 000002
【特許請求の範囲】
【請求項１】
タワーの上端に二つの主軸を水平に設け、それぞれの主軸の外側の一端に羽根を設けて二重風車を構成し、風力を二重風車で受け、発電機に伝えて発電するようにした二重風車型発電機において、
主軸が中空状に構成され、主軸が中空状のモータ内に回転可能に挿通され、モータの回転はボールスクリュウ及びリニアガイドによって第一ロッドの進退運動に変換されるように構成され、第一ロッドの先端はクラッチの一方のクラッチ板に連結される一方、主軸内には第２ロッドが軸線方向に伸びて設けられ、第２ロッドの一端部は主軸の挿通穴から外方に伸びてクラッチの他方のクラッチ板に連結され第２ロッドの先端は、主軸の先端に固定された羽根の基部に取付けられたシリンダに連結され、羽根の基部内には軸受と羽根の軸部が内蔵されており、モータの回転・逆転がクラッチを介してシリンダに伝えられ、羽根の軸部が回転・逆転されることによって羽根角度を調整可能としたことを特徴とする二重風車型風力発電機。
【請求項２】
タワーの上端に二つの主軸を水平に設け、それぞれの主軸の外側の一端に羽根を設けて二重風車を構成し、風力を二重風車で受け、発電機に伝えて発電するようにした二重風車型発電機において、
主軸が中空状に構成され、主軸の周りには油圧機器が設けられ、主軸ケースの外側にはモータ、油圧ポンプ、油圧タンク及び電磁弁が設置され、電磁弁と油圧機器のシリンダがパイプにより連通され、油圧機器のシリンダとクラッチの一方のクラッチ板が第一ロッドで連結される一方、主軸内には第２ロッドが軸線方向に伸びて設けられ、第２ロッドの一端部は主軸の挿通穴から外方に伸びてクラッチの他方のクラッチ板に連結され第２ロッドの先端は、主軸の先端に固定された羽根の基部に取付けられたシリンダに連結され、先端の羽根基部内には軸受と羽根の軸部が内蔵され、モータの回転と電磁弁によってシリンダが駆動され、羽根の軸部が回転・逆転されて羽根角度が調整されるようになしたことを特徴とする二重風車型風力発電機。
【請求項３】
羽根の基部内には軸受が内蔵されて基部に軸受外輪がまた軸受内輪には軸部が取付けられ、軸受外輪又は内輪には油の注入・抽出のための容器が取付けられ、軸受内輪又は外輪には油の注入・抽出のための容器の中の仕切りが取付けられ、容器の二つの分離した部屋と仕切り付きシリンダの仕切りで二つに分離した部屋がパイプで連通され、第２ロッドでシリンダを動かすと、シリンダ内の仕切りが動き仕切りの前後で油が出入し、二つのパイプでつながれた油の注入・抽出のための容器の仕切られたそれぞれの部屋で油の注入・抽出がなされて、羽根の軸が回転・逆転されて羽根角度が調整されるようにした請求項１又は２記載の二重風車型風力発電機。
【請求項４】
羽根の基部内には軸受が内蔵されて基部に軸受外輪がまた軸受内輪には軸部が取付けられ、軸受外輪・内輪にはロータリーアクチュエーターが取付けられ、ロータリーアクチュエーターの油が流入する部屋とシリンダがパイプで連通され、第２ロッドでシリンダを駆動してシリンダの油をパイプでロータリーアクチュエーターに出入させ、羽根の軸が回転・逆転されて羽根角度が調整されるようにした請求項１又は２記載の二重風車型風力発電機。
【請求項５】
二つの風車の主軸の片方の軸端に等速ジョイントの一端を取付け等速ジョイントのもう片方の一端をもう片方の風車の主軸に取付けられた発電機とつないだ、または二つの風車の主軸の片方の軸端に等速ジョイントの一端を取付け等速ジョイントのもう片方の一端に増速機を取付けてもう片方の風車の主軸に取付けられた増速機とギアを介して発電機に伝える請求項１又は２又は３又は４記載の二重風車型風力発電機。
【発明の詳細な説明】
【技術分野】
【０００１】  本発明は二重風車型風力発電機に関し、特に前後の風車における羽根角度を同時に調整できるようにした風力発電機に関する。
【背景技術】
【０００２】  従来の風力発電機では、１つのタワーの上端に回転軸を水平に設け、水平回転軸の一端に風車を設置し、風車の回転を発電機に伝えて発電するようにした形式が実用化されている（特許文献１）。【０００３】  また、タワーの上端に回転軸を水平に設け、水平回転軸の一端に風車を二重に設けて風力を効率よく取り出し、発電効率をアップするようにした２ロータ型の風力発電機が提案されている（特許文献２、特許文献３）。【０００４】  さらに、タワー上端の水平回転軸の両端に風車を各々設け、間隔をあけた２つの風車で風力を効率よく取り出し、効率よく発電を行うようにした二重風車型の風力発電機が提案されている（特許文献４、特許文献５、特許文献６）。【０００５】  また、水平回転軸両端の風車を風の流れる方向に対して逆回転させ、発電効率をアップさせるようにした二重風車反転型の風力発電機も提案されている（特許文献７）。
【先行技術文献】
【特許文献】
【０００６】
【特許文献１】  特開昭５２−３７６４２号公報
【特許文献２】  特開昭５４−１９０３６号公報
【特許文献３】  特開平７−１７４０６７号公報
【特許文献４】  特開昭５３−１３６１４７号公報
【特許文献５】  特開昭５５−１３１５８２号公報
【特許文献６】  特開２００２−９５３６２号公報
【特許文献７】  特開２００４−１６２６８４号公報
【発明の開示】
【発明が解決しようとする課題】
【０００７】  ところで、二重風車型及び二重風車反転型の風力発電機（本願明細書では単に「二重風車型風力発電機」という）では、風が弱いときには羽根の受圧面積を大きくして風を効率よく受ける一方、風が強すぎるときには羽根の受圧面積を小さくして風を逃がして強風による羽根の損傷を少なくすることが望まれる。【０００８】  しかし、従来の二重風車型風力発電機では風力に応じて２つの風車の羽根角度を同時に調整することはできず、羽根角度の調整が煩わしい。特に、二重風車反転型では羽根の向きが回転軸両側で相互に逆となるので、羽根角度の同時調整が複雑かつ困難であった。【０００９】  本発明はかかる問題点に鑑み、前後の風車における羽根角度を同時に調整できるようにした二重風車型風力発電機を提供することを課題とする。【００１０】  また本発明は、ふたつの風車の主軸をタワーと羽根の接触を避けるため上向きに角度を持たすため等速ジョイントを用いた二重風車型風力発電機を提供することも課題とする。
【課題を解決するための手段】
【００１１】  そこで、本発明に係る二重風車型風力発電機は、タワーの上端に二つの主軸を水平にまたは上向きに角度を設け、それぞれの主軸の外側の一端に羽根を設けて二重風車を構成し、風力を二重風車で受け、発電機に伝えて発電するようにしたまたは等速ジョイントを介して発電機に伝えて発電するようにした二重風車型風力発電機において、主軸を中空状に構成し、主軸を中空状のモータ内に回転可能に挿通し、モータの回転はボールスクリュウ機構及びリニアガイド機構によってロッドの進退運動に変換されるように構成し、ロッドの先端はクラッチの一方のクラッチ板に連結する一方、主軸内には第２ロッドを軸線方向に伸びて設け、第２ロッドの一端部は主軸の挿通穴から外方に伸びてクラッチの他方のクラッチ板にもう一端はシリンダに連結し、主軸の先端に固定された羽根の基部にシリンダを取付け、羽根の基部内には軸受と羽根の軸部を内蔵し羽根の基部に軸受外輪を固定し軸受内輪に羽根の軸部を固定して、モータの回転・逆転とクラッチを介してシリンダに伝え、羽根の軸部が回転・逆転されることによって羽根角度を調整可能としたことを特徴とする。【００１２】  また、本発明に係る二重風車型風力発電機は、タワーの上端に二つの主軸を水平にまたは上向きに角度を設け、主軸の両端に羽根を設けて二重風車を構成し、風力を二重風車で受け、発電機に伝えて発電するようにしたまたは等速ジョイントを介して発電機に伝えて発電するようにした二重風車型風力発電機において、主軸を中空状に構成し、主軸の周りには油圧機器を設け、主軸ケースの外側にはモータ、油圧ポンプ、油圧タンク及び電磁弁を設置し、電磁弁と油圧機器のシリンダとをパイプにより連通させ、油圧機器のシリンダとクラッチの一方のクラッチ板とを第一ロッドで連結する一方、主軸内には第２ロッドを軸線方向に伸びて設け、第２ロッドの一端部は主軸の挿通穴から外方に伸びてクラッチの他方のクラッチ板にもう一端をシリンダに連結し、主軸の先端に固定された羽根基部にシリンダを取付け、羽根の基部内には軸受と羽根の軸部を内蔵し羽根の基部に軸受外輪を固定し軸受内輪に羽根の軸部を固定して、モータの回転と電磁弁によってクラッチを介してシリンダに伝え、羽根の軸部を回転・逆転させて羽根角度を調整可能としたことを特徴とする。【００１３】  本発明の特徴の１つは主軸を中空状とし、主軸のまわりにモータを設けまたは主軸ケースの外にモータを設け、クラッチをつないで第一ロッドを動かして主軸の内部の第二ロッドをモータによって進退させ、羽根基部に固定したシリンダを駆動して羽根の軸部を回転・逆転させるようにした点にある。【００１４】  これにより、風車の羽根角度を外側から自動的に調整できるので、風の強弱に応じて羽根角度を変えて受圧面積を調整することができ、高い発電効率を維持しながら、強風による羽根の損傷を少なくできる。【００１５】  モータとシリンダとは常に連係させていてもよいが、風車の回転抵抗となるため、第１ロッドと第２ロッドとの間にクラッチを設け，羽根角度を調整しないときにはモータとシリンダの間を切断し，風車の回転抵抗を少なくするのがよい。【００１６】  ここで、羽根の基部内には軸受を内蔵して基部に軸受外輪を取付けまた軸受内輪に羽軸部を取付けて、軸受外輪又は内輪には油の注入・抽出のための容器を取付け、軸受内輪又は外輪には軸部と油の注入・抽出のための容器の中の仕切りを取付け、容器の二つの分離した部屋と仕切り付きシリンダの仕切りで二つに分離した部屋をパイプで連通し、第２ロッドでシリンダを動かすと、シリンダ内の仕切りが動き、仕切りの前後で油が出入し、二つのパイプでつながれた油の注入・抽出のための容器の仕切られたそれぞれの部屋で油の注入・抽出がなされて、羽根の軸が回転・逆転されて羽根角度を調整することができる。【００１７】  また、羽根の基部内には軸受を内蔵して基部に軸受外輪を取付けまた軸受内輪に羽軸部を取付けて、軸受外輪・内輪にはロータリーアクチュエーターを取付け、ロータリーアクチュエーターの油が流入する部屋とシリンダをパイプで連通し、第２ロッドでシリンダを駆動してシリンダの油をパイプでロータリーアクチュエーターに出入させ、羽根の軸を回転・逆転させて羽根角度を調整することができる。【００１８】  本発明のもうひとつの特徴は、二つの風車の羽根とタワーの接触をさけるため二つの主軸に角度を持たせ片方の主軸ともう片方の主軸に取付けられた発電機とを等速ジョイントで連結してまたは片方の主軸と増速機を等速ジョイントでつなぎこの増速機ともう片方の主軸軸端に取付けられた増速機でギアをとおして発電機につないで発電する点にある。【００１９】  一台の発電機で発電する場合においては、ふたつのロータが反転することにより周速が相対的に二倍になり二倍の電力を生む。また一台の発電機と二台の増速機による発電も極数を二倍に増やして二倍の電力を生む。
【図面の簡単な説明】
【００２０】
【図１】全体構成の斜視図である。
【図２】実施形態を示す側面図である。
【図３】実施形態を示す側面図である。
【図４】部品の断面図である。
【図５】部品の断面図である。
【図６】実施形態を示す側面図である。
以下、本発明を図面に示す具体例に基づいて詳細に説明する。
【００２１】  図１はタワー１００の上に風車３０と風車４０が半転するよう構成された全体の斜視図である。
【００２２】  図２及び図３は本発明に係る二重風車反転駆動形の風力発電機の好ましい実施形態を示す。図２及び図３において、タワー１００の上端には二つの主軸ケース４Ａが水平に延びて設けられ、二つの主軸ケース４Ａにはそれぞれ一つの主軸４が回転自在に内蔵され、二つの主軸４の外側端部には風車３０、４０が取付けられて二重風車が構成されている。
なお図２及び図３の詳細な説明は、異なる部分を個々に説明し共通部分は合わせて説明する。
【００２３】  図２について詳しく説明すると、二つの主軸４の対向する軸端には発電機１Ａが風車の動力を直接受けて発電するようになっている。なお、二つの主軸４の回転は増速機３に伝えられ、増速機３の回転はギア群２を介して回転が増速して発電機１Ｂに伝えられて発電することもできる。
【００２４】  主軸ケース４Ａにはブレーキ付のモータ７Ａが主軸４のまわりに主軸４とは独立して回転し得るように内蔵され、モータ７Ａの回転軸には円筒状のボールスクリュウ軸８Ａが主軸４の外側を回転し得るように連結されている。
【００２５】  このボールスクリュウ軸８Ａにはボールを介してボールスクリュウのナット８Ｂが外嵌されてボールスクリュウが構成され、又ボールスクリュウのナット８Ｂにはリニアガイドのベアリング９Ａが取り付けられリニアガイドのレール９Ｂによって主軸ケース４Ａ内に回り止めされ、モータ７Ａの回転・逆回転によってボールスクリュウのナット８Ｂは軸線方向にスライドし得るようになっている。
【００２６】  また、ボールスクリュウのナット８Ｂには第１ロッド１０Ａが連結され、第１ロッド１０Ａは主軸４先端側に伸び、リニアガイドのベアリング９Ａとリニアガイドのレール９Ｂによってガイドされ、クラッチ１２に連結されている。クラッチ１２は外周面がインボリュートスプライン山１３Ａで主軸ケース４Ａ側のインボリュートスプライン溝１３Ｂと結合され、クラッチ１２がつながれると、クラッチ１２は挿貫通穴１５を経て主軸４内を風車側に伸びる第２ロッド１１に連結され、押し・引きされながら回転し得るようになっている。
【００２７】  次に図３について詳しく説明すると、二つの主軸４の対向する軸端は増速機３に接続され、増速機３の回転はギア群２を介して発電機１Ｂに伝えられ、主軸４の回転が増速して発電機１Ｂに伝えられて発電するようになっている。なお、発電機１Ａが風車の動力を直接受けて発電することもできる。
【００２８】  主軸ケース４Ａの外には、モータ７Ｂ、油圧ポンプ１９、油圧タンク２０及び電磁弁２１が設置され、主軸４のまわりに分離して主軸ケース４Ａに取り付けられた油圧機器２３のシリンダ２４と電磁弁２１をパイプ２２でつないで油の注入・注出を行うことによって油圧機器２３のシリンダ２４を軸線方向にスライドし得るようになっている。
【００２９】また、油圧機器２３のシリンダ２４には第１ロッド１０Ｂが連結され、第１ロッド１０Ｂは主軸４先端側に伸び、クラッチ１２に連結されている。クラッチ１２は外周面がインボリュートスプライン山１３Ａで主軸ケース４Ａ側のインボリュートスプライン溝１３Ｂと結合され、クラッチ１２がつながれると、クラッチ１２は挿貫穴１５を経て主軸４内を伸びる第２ロッド１１に連結され、押し・引きされながら回転し得るようになっている。
【００３０】  次に共通部分なので図２及び図３を合わせて説明すると、このクラッチ１２は第２ロッド１１によってシリンダ１４Ａまたはシリンダ１４Ｂに連結され、シリンダ１４Ａまたはシリンダ１４Ｂは風車３０の羽根の基部３１に固定され、羽根の基部３１は主軸４の先端に連結される。
【００３１】  図２において、シリンダ１４Ａ内は二つの油圧室で構成され、第２ロッド１１が主軸４の軸線方向に押し引きされることによって圧油が二つの油圧室に出入りするようになっている。また、基部３１内の軸受２５は外輪が基部３１に取付けられ軸受内輪には羽軸部３２が取付けられ、外輪又は内輪には油の注入・抽出のための容器２６が取付けられ、軸受内輪又は外輪にはと油の注入・抽出のための容器２６の中の仕切りが取付けられ、容器２６の二つの分離した部屋と仕切り付きシリンダ１４Ａの仕切りで二つに分離した部屋がパイプ２７で連通され、第２ロッド１１でシリンダ１４Ａを動かすと、シリンダ内の仕切りが動き、仕切りの前後で油が出入し、二つのパイプ２７でつながれた油の注入・抽出のための容器２６の仕切られたそれぞれの部屋で油の注入・抽出がなされて、羽根の軸３２が回転・逆転されて羽根角度が調整される。
【００３２】  図３において、シリンダ１４Ｂ内は一つの油圧室で構成され、第２ロッド１１が主軸４の軸線方向に押し引きされることによって圧油が油圧室に出入りするようになっている。
また、基部３１内の軸受２５は外輪が基部３１に取付けられ軸受内輪には羽軸部３２が取付けられ、軸受２５の外輪内輪にはロータリーアクチュエーター２８が取付けられロータリーアクチュエーター２８の油が流入する部屋とシリンダ１４Ｂとがパイプ２９で連通され、第２ロッド１１でシリンダ１４Ｂを動かすと、シリンダ１４Ｂの油をパイプ２９でロータリーアクチュエーター２８に出入させ、羽根の軸３２が回転・逆転されて羽根角度が調整される。
【００３３】  図２及び図３において、他方の風車４０についても上記一方の風車３０の駆動系と同様に構成されているが、風車の回転方向が一方の風車３０と逆方向であるので、クラッチの押し引きによって羽根の角度が逆方向に増減されるようになっている。
【００３４】  次に、図２及び図３の動作について説明する。風車３０、４０の羽根角度を調整する必要がない場合、クラッチ１２を切断して主軸４を負荷なく回転できる。
【００３５】  風車３０、４０の羽根角度を調整する必要がある場合、モータ７Ａまたはモータ７Ｂを回転させてクラッチ１２を接続した後、第１ロッド１０Ａまたは第１ロッド１０Ｂでクラッチ１２を押し引きすると、クラッチ１２に接続された第２ロッド１１がクラッチ外径のインボリュートスプライン山１３Ａと主軸ケース４Ａのインボリュートスプライン溝１３Ｂによって案内されて押し引きされ、図２においてシリンダ１４Ａ内に圧油が出入りしてパイプ２７でつながれた油の注入抽出のための容器２６に油が出入することにより、または図３においてシリンダ１４Ｂ内に圧油が出入りしてパイプ２９でつながれたロータリーアクチュエーター２８に油が出入することにより羽根角度が調整される。
【００３６】  以上のように、風車３０、４０の羽根角度を任意に調整できるので、図２においてセンサー付風速・風向計１６で風速と風向を検出し、コントローラー１７で信号処理し羽根角度の調整と風向調整の信号を作成し、ドライバー１８によってモータ７Ａに電流を通電して回転・逆転させて羽根角度を自動調整するシステムおよびドライバー１８によって一般的に行われているモータ・減速機・ピニオンギア・ギア付旋回座軸受で風向を自動調整するシステムを構築することもできる。
【００３７】  また、風車３０、４０の羽根角度を任意に調整できるので、図３においてセンサー付風速・風向計１６で風速と風向を検出し、コントローラー１７で信号処理し、羽根角度の調整と風向調整の信号を作成し、電磁弁を動かして羽根角度を自動調整するシステムおよびドライバーｌ８によって一般的に行われているモータ・減速機・ピニオンギア・ギア付旋回座軸受で風向を自動調整するシステムを構築することもできる。
【００３８】  図４は、油の注入・抽出のための容器の断面図である。
【００３９】  図５は、ロータリーアクチュエーターの断面図である。
【００４０】  図６は、二つの風車の主軸４に上向きに角度を持たすため等速ジョイント５０を用いて等速ジョイント５０の片方を片方の風車の主軸４軸端に取付け軸受５１で支持し等速ジョイント５０のもう片方をもう片方の風車の主軸４軸端に取付けられた発電機１Ａにつなげたものである。
また二つの風車の主軸４に上向きに角度を持たすため等速ジョイント５０を用いて等速ジョイント５０の片方を片方の風車の主軸４軸端に取付け軸受５１で支持し等速ジョイント５０のもう片方に増速機３をつなげてもう片方の風車の主軸の軸端に取付けられた増速機でギア２を介して発電機１Ｂに伝えることもできる。
【符号の説明】
【００４１】１Ａ：発電機
１Ｂ：発電機
２  ：ギア
３  ：増速機
４  ：主軸
４Ａ：主軸ケース
５  ：軸受
６  ：軸受
７Ａ：モータ
７Ｂ：モータ
８Ａ：ボールネジの軸
８Ｂ：ボールネジのナット
９Ａ：リニアガイドのベアリング
９Ｂ：リニアガイドのレール
１０Ａ：第１ロッド
１０Ｂ：第１ロッド
１１  ：第２ロッド
１２  ：クラッチ
１３Ａ：インボリュウトスプライン山
１３Ｂ：インボリュウトスプライン溝
１４Ａ：シリンダ
１４Ｂ：シリンダ
１５  ；貫通穴
１６  ：センサー付風速・風向計
１７  ：コントローラー
１８  ：ドライバー
１９  ：油圧ポンプ
２０  ：油圧タンク
２１  ：電磁弁
２２  ：パイプ
２３  ：油圧機器
２４  ：油圧機器のシリンダ
２５  ：羽根の基部内の軸受
２６  ：油の注入・抽出のための容器
２７  ：パイプ
２８  ：ロータリーアクチュエーター
２９  ：パイプ
３０  ：風車
３１  ：羽根の基部
３２  ：羽根の軸部
４０  ：風車
５０  ：等速ジョイント
５１  ：軸受
１００  ：タワー１００
【図１】
2015025444.tif 000003
【図２】
2015025444.tif 000004
【図３】
2015025444.tif 000005
【図４】
2015025444.tif 000006
【図５】
2015025444.tif 000007
【図６】
2015025444.tif 000008
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
タワーの上端に二つの主軸を水平に設け、それぞれの主軸の外側の一端に羽根を設けて二重風車を構成し、風力を二重風車で受け、発電機に伝えて発電するようにした二重風車型発電機において、
上記二つの主軸が中空状に構成され、主軸が中空状のモータ内に回転可能に挿通され、モータの回転はボールスクリュウ及びリニアガイドによって第一ロッドの進退運動に変換されるように構成され、第一ロッドの先端はクラッチの一方のクラッチ板に連結される一方、主軸内には第２ロッドが軸線方向に伸びて設けられ、第２ロッドの一端部は主軸の挿通穴から外方に伸びてクラッチの他方のクラッチ板に連結され第２ロッドの先端は、主軸の先端に固定された羽根の基部に取付けられたシリンダに連結され、羽根の基部内には軸受と羽根の軸部が内蔵されており、モータの回転・逆転がクラッチを介してシリンダに伝えられ、羽根の軸部が回転・逆転されることによって上記二つの主軸の羽根角度を調整可能としたことを特徴とする二重風車型風力発電機。
【請求項２】
タワーの上端に二つの主軸を水平に設け、それぞれの主軸の外側の一端に羽根を設けて二重風車を構成し、風力を二重風車で受け、発電機に伝えて発電するようにした二重風車型発電機において、
上記二つの主軸が中空状に構成され、主軸の周りには油圧機器が設けられ、主軸ケースの外側にはモータ、油圧ポンプ、油圧タンク及び電磁弁が設置され、電磁弁と油圧機器のシリンダがパイプにより連通され、油圧機器のシリンダとクラッチの一方のクラッチ板が第一ロッドで連結される一方、主軸内には第２ロッドが軸線方向に伸びて設けられ、第２ロッドの一端部は主軸の挿通穴から外方に伸びてクラッチの他方のクラッチ板に連結され第２ロッドの先端は、主軸の先端に固定された羽根の基部に取付けられたシリンダに連結され、先端の羽根基部内には軸受と羽根の軸部が内蔵され、モータの回転と電磁弁によってシリンダが駆動され、羽根の軸部が回転・逆転されて上記二つの主軸の羽根角度が調整されるようになしたことを特徴とする二重風車型風力発電機。
【請求項３】
羽根の基部内には軸受が内蔵されて基部に軸受外輪がまた軸受内輪には軸部が取付けられ、軸受外輪又は内輪には油の注入・抽出のための容器が取付けられ、軸受内輪又は外輪には油の注入・抽出のための容器の中の仕切りが取付けられ、容器の二つの分離した部屋と仕切り付きシリンダの仕切りで二つに分離した部屋がパイプで連通され、第２ロッドでシリンダを動かすと、シリンダ内の仕切りが動き仕切りの前後で油が出入し、二つのパイプでつながれた油の注入・抽出のための容器の仕切られたそれぞれの部屋で油の注入・抽出がなされて、羽根の軸が回転・逆転されて羽根角度が調整されるようにした請求項１又は２記載の二重風車型風力発電機。
【請求項４】
羽根の基部内には軸受が内蔵されて基部に軸受外輪がまた軸受内輪には軸部が取付けられ、軸受外輪・内輪にはロータリーアクチュエーターが取付けられ、ロータリーアクチュエーターの油が流入する部屋とシリンダがパイプで連通され、第２ロッドでシリンダを駆動してシリンダの油をパイプでロータリーアクチュエーターに出入させ、羽根の軸が回転・逆転されて羽根角度が調整されるようにした請求項１又は２記載の二重風車型風力発電機。
【請求項５】
二つの風車の主軸の片方の軸端に等速ジョイントの一端を取付け等速ジョイントのもう片方の一端をもう片方の風車の主軸に取付けられた発電機とつないだ、または二つの風車の主軸の片方の軸端に等速ジョイントの一端を取付け等速ジョイントのもう片方の一端に増速機を取付けてもう片方の風車の主軸に取付けられた増速機とギアを介して発電機に伝える請求項１又は２又は３又は４記載の二重風車型風力発電機。
【手続補正２】
【補正対象書類名】明細書
【補正対象項目名】００２１
【補正方法】変更
【補正の内容】
【００２１】  図１はタワー１００の上に風車３０と風車４０が反転するよう構成された全体の斜視図
である。
【手続補正３】
【補正対象書類名】明細書
【補正対象項目名】００２６
【補正方法】変更
【補正の内容】
【００２６】  また、ボールスクリュウのナット８Ｂには第１ロッド１０Ａが連結され、第１ロッド１０Ａは主軸４先端側に伸び、リニアガイドのベアリング９Ａとリニアガイドのレール９Ｂによってガイドされ、クラッチ１２に連結されている。クラッチ１２の一方のクラッチ板１２Ａは外周面がインボリュートスプライン山１３Ａで主軸ケース４Ａ側のインボリュートスプライン溝１３Ｂと結合され、クラッチ１２の他方のクラッチ板１２Ｂは挿通穴１５を経て主軸４内を風車側に伸びる第２ロッド１１に連結され、クラッチ１２のクラッチ板１２Ａ、１２Ｂがつながれると、第２ロッド１１は押し・引きされながら主軸４ととにも回転し得るようになっている。
【手続補正４】
【補正対象書類名】明細書
【補正対象項目名】００２９
【補正方法】変更
【補正の内容】
【００２９】  また、油圧機器２３のシリンダ２４には第１ロッド１０Ｂが連結され、第１ロッド１０Ｂは主軸４先端側に伸び、クラッチ１２に連結されている。クラッチ１２の一方のクラッチ板１２Ａは外周面がインボリュートスプライン山１３Ａで主軸ケース４Ａ側のインボリュートスプライン溝１３Ｂと結合され、クラッチ１２の他方のクラッチ板１２Ｂは挿貫穴１５を経て主軸４内を伸びる第２ロッド１１に連結され、クラッチ１２のクラッチ板１２Ａ、１２Ｂがつながれると、第２ロッド１１は押し・引きされながら主軸４とともに回転し得るようになっている。
【手続補正５】
【補正対象書類名】明細書
【補正対象項目名】００３１
【補正方法】変更
【補正の内容】
【００３１】  図２において、シリンダ１４Ａ内は二つの油圧室で構成され、第２ロッド１１が主軸４の軸線方向に押し引きされることによって圧油が二つの油圧室に出入りするようになっている。また、基部３１内の軸受２５は外輪が基部３１に取付けられ軸受内輪には羽軸部３２が取付けられ、外輪又は内輪には油の注入・抽出のための図４に示される構造の容器２６が取付けられ、軸受内輪又は外輪には油の注入・抽出のための容器２６の中の仕切りが取付けられ、容器２６の二つの分離した部屋と仕切り付きシリンダ１４Ａの仕切りで二つに分離した部屋がパイプ２７で連通され（但し、図２には図４に示される２つのパイプ２７のうち、一方の部屋に接続されるパイプ２７のみが現れている。）、第２ロッド１１でシリンダ１４Ａを動かすと、シリンダ内の仕切りが動き、仕切りの前後で油が出入し、二つのパイプ２７でつながれた油の注入・抽出のための容器２６の仕切られたそれぞれの部屋で油の注入・抽出がなされて、羽根の軸３２が回転・逆転されて羽根角度が調整される。
【手続補正６】
【補正対象書類名】明細書
【補正対象項目名】００３２
【補正方法】変更
【補正の内容】
【００３２】  図３において、シリンダ１４Ｂ内は一つの油圧室で構成され、第２ロッド１１が主軸４の軸線方向に押し引きされることによって圧油が油圧室に出入りするようになっている。なお、図３では風車４０側への圧油の供給系については図示の便宜上、省略している。
また、基部３１内の軸受２５は外輪が基部３１に取付けられ軸受内輪には羽軸
2015025444.tif 000009
リーアクチュエーター２８が取付けられロータリーアクチュエーター２８の油が流入する部屋とシリンダ１４Ｂとがパイプ２９で連通され、第２ロッド１１でシリンダ１４Ｂを動かすと、シリンダ１４Ｂの油をパイプ２９でロータリーアクチュエーター２８に出入させ、羽根の軸３２が回転・逆転されて羽根角度が調整される。
【手続補正７】
【補正対象書類名】図面
【補正対象項目名】図２
【補正方法】変更
【補正の内容】
【図２】
2015025444.tif 000010
【手続補正８】
【補正対象書類名】図面
【補正対象項目名】図３
【補正方法】変更
【補正の内容】
【図３】
2015025444.tif 000011